(57)【要約】【構成】カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにおいて、前記一対のキャスターに樋状カバー体を下方から外嵌めし、適宜固定手段によって前記キャスターに固定したキャリアバッグ用雪上移動装置である。【効果】使用者が取っ手を持って牽引した際に、前記樋状カバーが橇の如く機能して前記キャリアバッグは雪上を滑りながら移動することができる。  よって、この考案に係るキャリアバッグ用雪上移動装置を使用すれば、雪上であってもキャスターが雪に埋まることはなく、又、雪が凍っていてもキャスターが滑ることははいため、使用者はキャリアバッグを滑らかに牽引することができる。【選択図】    図２
0003178427.tif 000002
【実用新案登録請求の範囲】
【請求項１】
カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにおいて、前記一対のキャスターに樋状カバー体を下方から外嵌めし、適宜固定手段によって前記キャスターに固定したことを特徴とするキャリアバッグ用雪上移動装置。
【請求項２】
前記樋状カバー体は、複数の樋状補助カバー体を樋状態で互いにスライド可能に嵌挿したことを特徴とする請求項１のキャリアバッグ用雪上移動装置。
【請求項３】
前記複数の樋状補助カバー体は、一方の樋状補助カバー体の端縁に設けられたスライド溝に他方の樋状補助カバー体の端縁に設けられたスライド突条をスライド可能に嵌めたことを特徴とする請求項２のキャリアバッグ用雪上移動装置。
【請求項４】
前記固定手段が、前記樋状カバー体の開口部端縁の弾性力であることを特徴とする請求項１のキャリアバッグ用雪上移動装置。
【請求項５】
前記固定手段が、前記樋状カバー体と前記取っ手とを繋ぐ弾性ロープであることを特徴とする請求項１のキャリアバッグ用雪上移動装置。
【考案の詳細な説明】
【技術分野】
【０００１】
この考案はキャリアバッグ用雪上移動装置に関し、雪道において歩行者がキャリアバッグを牽引する場合に使用される。
【０００２】
従来におけるキャリアバッグは、カバン体の底面にキャスターが設置されているとともにこのカバン体の側面に取っ手が設置されたものであり、使用者は前記カバン体に荷物を収容し、前記取っ手を引くことによって前記キャスターを介して前記キャリアバッグを牽引していた。
【０００３】
【特許文献１】実開平５−６３３２３号公報
【考案の開示】
【考案が解決しようとする課題】
【０００４】
しかしながら、かかる従来のキャリアバッグにあっては、雪上で牽引しようとすると前記キャスターが雪に埋まったり、また、凍っている場合にはキャスターが滑ってしまい、この結果、使用者は滑らかに牽引することができないという不都合を有した。
【０００５】
この不都合を解消することがこの考案の課題である。
【課題を解決するための手段】
【０００６】
前記課題を達成するために、この考案に係るキャリアバッグ用雪上移動装置においては、カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにおいて、前記一対のキャスターに樋状カバー体を下方から外嵌めし、適宜固定手段によって前記キャスターに固定したものである。
【０００７】
この場合、前記樋状カバー体は、複数の樋状補助カバー体を樋状態で互いにスライド可能に嵌挿することもできる。
【０００８】
また、前記複数の樋状補助カバー体は、一方の樋状補助カバー体の端縁に設けられたスライド溝に他方の樋状補助カバー体の端縁に設けられたスライド突条をスライド可能に嵌めることもできる。
【０００９】
更に、前記固定手段を前記樋状カバー体の開口部端縁の弾性力にしたり、前記樋状カバー体と前記取っ手とを繋ぐ弾性ロープにすることもできる。
【考案の効果】
【００１０】
この考案に係るキャリアバッグ用雪上移動装置は上記のように構成されているため、即ち、カバン体と取っ手と所要数のキャスターとを備え、前記カバン体における底面の一端縁の両端部に各々前記キャスターを設置するとともに前記カバン体の前記キャスター側の正面に前記取っ手を設置したキャリアバッグにおいて、前記一対のキャスターに樋状カバー体を下方から外嵌めし、適宜固定手段によって前記キャスターに固定したため、使用者が取っ手を持って牽引した際に、前記樋状カバーが橇の如く機能して前記キャリアバッグは雪上を滑りながら移動することができる。
【００１１】
よって、この考案に係るキャリアバッグ用雪上移動装置を使用すれば、雪上であってもキャスターが雪に埋まることはなく、又、雪が凍っていてもキャスターが滑ることははいため、使用者はキャリアバッグを滑らかに牽引することができる。
【００１２】
この場合、前記樋状カバー体は、複数の補助樋状カバー体を樋状態で互いにスライド可能に嵌挿すれば、この樋状カバー体を一対のキャスターの間隔が異なる種々のキャリアバッグにも取り付けることができる。
【００１３】
また、前記複数の補助樋状カバー体は、一方の補助樋状カバー体の端縁に設けられたスライド溝に他方の助樋状カバー体の端縁に設けられたスライド突条をスライド可能に嵌めるようにすれば、樋状補助カバー体同士のスライドを安定した状態で滑らかに行うことができる。
【００１４】
更に、前記固定手段を前記樋状カバー体の開口部端縁の弾性力にすれば、ワンタッチで一対のキャスターに外嵌め固定することができる。
【００１５】
また、前記固定手段を前記樋状カバー体と前記取っ手とを繋ぐ弾性ロープにすれば、樋状カバー体の弾性力によってキャスターに外嵌め固定できない場合や支持具等にも樋状カバー体を取り付けることができる。
【考案を実施するにあたっての最良の状態】
【００１６】
この考案に係るキャリアバッグ用雪上移動装置は実施するにあたって次の特徴を有する。
【００１７】
「樋状カバー体」は単一の樋状補助カバー体から構成しても良いし、複数の樋状補助カバー体をスライド可能に連設しても良い。
【００１８】
「複数の樋状補助カバー体をスライド可能に連設する場合」は、一方の樋状補助カバー体の端縁に設けられたスライド溝に他方の樋状補助カバー体の端縁に設けられたスライド突条をスライド可能に嵌めるのが適している。
【００１９】
「固定手段」としては、樋状カバー体の開口部端縁の弾性力を使用したり、樋状カバー体と前記取っ手とを繋ぐ弾性ロープを使用することができる。
【実施例】
【００２０】
以下、この考案の実施例を図面に基づいて説明する。
【００２１】
図１はこの考案に係るキャリアバッグ用雪上移動装置の正面図、図２は同左側面図、図３は図１におけるIII部拡大図、図４は図３におけるIV-IV線拡大断面図、図５は使用状態図、図６は他の使用状態図である。
【００２２】
図１及び図２において、Ａはキャリアバッグ、１０そのカバン体である。このカバン体１０は略直方体状をしている。
【００２３】
１１，１１は基台であり、前記カバン体１０における底面の両側に設置されている。この基台１１，１１は前記カバン体１０の正面に沿ってＬ字状に延びている。
【００２４】
１２，１２はキャスターであり、前記基台１１，１１の下面に各々設置されている。これらのキャスター１２，１２は前記カバン体１０の正面側に位置し、前記キャリアバッグＡはこれらのキャスター１２，１２を介して移動することができる。
【００２５】
１３，１３は支持具であり、前記基台１１，１１の下面に各々一体形成されている。これらの支持具１３、１３は前記カバン体１０の背面側に位置している。これらの支持具１３，１３を介して前記キャリアバッグＡを略垂直に立てることができる。なお、前記支持具１３，１３は片方のみ図示したが、両方の基台１１，１１に略対象に設置されている。
【００２６】
１４は取っ手であり、前記一対の基台１１，１１に架け渡されている。この取っ手１４は一体的に形成され、垂直部１４１，１４１とこれらの垂直部１４１，１４１を繋ぐ水平部１４２とから構成されている。この取っ手１４の水平部１４２を掴むことによって、使用者は前記キャリアバッグＡを牽引することができる。
【００２７】
Ｂはキャリアバッグ用雪上移動装置であり、前記キャリアバッグＡのキャスター１２，１２に弾性的に取り付けられている。２０は樋状カバー体であり、前記キャリアバッグ用雪上移動装置Ｂの主要部を構成している。
【００２８】
次に、図３及び図４に基づいて、この樋状カバー体２０について詳述する。
【００２９】
この樋状カバー体２０は一対の樋状補助カバー体２１，３１をスライド可能に嵌挿させたものである。これらの樋状補助カバー体２１，３１は合成樹脂によって弾性的に形成され、その断面は略Ｃ字状をしている。２２，３２は開口部（この考案の「固定手段」に相当する）であり、前記樋状補助カバー体２１，３１の上部に形成されている。この開口部２１，３１の巾は対応する前記樋状補助カバー体２１，３１の横内径よりも狭巾である。このため、弾性的に広がって前記キャスター１２，１２を把持することができる。
【００３０】
２３はスライド溝であり、前記樋状補助カバー体２１の開口部２２の端縁を外側に湾曲させることによって管状に形成されている。このスライド溝２３は前記樋状補助カバー体２１のスライド方向に延びている。
【００３１】
一方、３３はスライド突条であり、前記樋状補助カバー体３１の開口部３２の端縁を円柱棒状に突出させることによって形成されている。このスライド突条３３は前記樋状補助カバー体３１のスライド方向に延びている。このスライド突条３３を前記樋状補助カバー体２１のスライド溝２３に内嵌めしスライドさせることによって前記樋状補助カバー体２１，３１同士のスライド運動をガイドしている。
【００３２】
なお、前記樋状カバー体２０は必ずしも複数の樋状補助カバー体２１，３１をスライドさせて構成する必要はなく、単一の樋状補助カバー体２１，３１のみから構成することもできるし、３つ以上の樋状補助カバー体２１，３１を互いにスライド可能に組み合わせて構成することもできる。
【００３３】
次に、３４はボルト孔であり、前記樋状補助カバー体２１の側壁部に形成されている。このボルト孔３４は前記樋状補助カバー体２１の外端部に位置している。
【００３４】
３５は掛止ボルトであり、前記ボルト孔３４を貫通し、ナット３６止めされている。３７はカラーであり、前記樋状補助カバー体２１内に位置し前記掛止ボルト３５が貫通している。
【００３５】
なお、同様に図示はしてないが、前記樋状補助カバー体２１の外端部にも同様にボルト孔が形成され、掛止ボルト２６、ナット２７、カラー２８が設置されている。
【００３６】
図３において２８，３８は補助ボルト孔であり、前記樋状補助カバー体２１，３１の内端部に形成されている。この補助ボルト孔２８，３８は前記樋状補助カバー体２１，３１を単独で、樋状カバー体２０として使用する場合に前記ボルト孔として使用されるものである。
【００３７】
次に、このキャリアバッグ用雪上移動装置Ｂを使用する場合は、図５に示すように、前記キャリアバッグＡのキャスター１２，１２に前記樋状カバー体２０の開口部２２，３２を弾性的に外嵌めし雪上を傾斜方向に橇の如く滑らせることができる。
【００３８】
また、図６に示すように、前記両側の支持具１３，１３に外嵌めして同様に使用することもできる。この場合、各々の前記掛止ボルト２５のカラー２７に弾性ロープ５０（この考案の「固定手段」に相当する）を巻き掛け、フック５１，５１を介して前記取っ手１４に弾性的に掛け止めする。
【００３９】
なお、前記キャスター１２，１２に外嵌めする場合にも、キャスター１２の外径が樋状カバー体２０の開口部２２，３２の開口巾よりも広い場合には同様に弾性ロープ３０を使用して樋状カバー体２０を取り付ける。
【産業上の利用可能性】
【００４０】
この考案に係るキャリアバッグ用雪上移動装置は、使用者が取っ手を持って牽引した際に、樋状カバーが橇の如く機能してキャリアバッグは雪上を滑りながら移動することができる。雪上であってもキャスターが雪に埋まることはなく、又、雪が凍っていてもキャスターが滑ることははいため、使用者はキャリアバッグを滑らかに牽引することができる。よって、産業上の利用可能性は高いものである。
【図面の簡単な説明】
【００４１】
【図１】図１はこの考案に係るキャリアバッグ用雪上移動装置の正面図である。
【図２】図２は同左側面図である。
【図３】図３は図１におけるIII部拡大図である。
【図４】図４は図３におけるIV-IV線拡大断面図である。
【図５】図５は使用状態図である。
【図６】図６は他の使用状態図である。
【符号の説明】
【００４２】
Ａ  …  キャリアバッグ、
Ｂ  …  キャリアバッグ用雪上移動装置
１０  …  カバン体
１１  …  基台
１２  …  キャスター
１３  …  支持具
１４  …  取っ手
１４１  …  垂直部
１４２  …  水平部
２０  …  樋状カバー体
２１  …  樋状補助カバー体
２２  …  開口部（この考案の「固定手段」に相当）
２３  …  スライド溝
２４  …  ボルト孔
２５  …  掛止ボルト
２６  …  ナット
２７  …  カラー
２８  …  補助ボルト孔
３１  …  樋状補助カバー体
３２  …  開口部（この考案の「固定手段」に相当）
３３  …  スライド突条
３８  …  補助ボルト孔
５０  …  弾性ロープ（この考案の「固定手段」に相当）
５１  …  フック
【図１】
0003178427.tif 000003
【図２】
0003178427.tif 000004
【図３】
0003178427.tif 000005
【図４】
0003178427.tif 000006
【図５】
0003178427.tif 000007
【図６】
0003178427.tif 000008